(57)【要約】【課題】構造が簡単で、製造、組立てが容易であり、また、ブリッジ部の強度が強く、顔面に確実に保持される眼鏡フレームを提供する。【解決手段】一対のリム部２０、両リム部２０の内縁部を連結するブリッジ部３０、両リム部２０の外縁部に形成される鎧部４０、及び鎧部４０に蝶番５０を介して取付けられるテンプル６０を備えた眼鏡フレーム１０であり、リム部２０、ブリッジ部３０及び鎧部４０が板状の金属材で一体に形成されている。また、補強材２２も一体に形成されている。さらに、鎧部４０は内側に湾曲する湾曲部４１を備えている。【選択図】図１
2009048091.tif 000002
【特許請求の範囲】
【請求項１】
一対のリム部、前記両リム部の内縁部を連結するブリッジ部、前記両リム部の外縁部に形成される鎧部、及び前記鎧部に蝶番を介して取付けられるテンプルを備えた眼鏡フレームであって、
前記リム部及び前記ブリッジ部が同一の板状金属材で一体に形成されていることを特徴とする眼鏡フレーム。
【請求項２】
前記ブリッジ部が、前記板状金属材からなる補強材を備えていることを特徴とする請求項１に記載の眼鏡フレーム。
【請求項３】
前記補強材が、前記リム部及び前記ブリッジ部と共に、一枚の前記板状金属材から打抜き加工されて形成されたものであることを特徴とする請求項２に記載の眼鏡フレーム。
【請求項４】
前記鎧部が、前記ブリッジ部と同一の板状金属材で一体に形成されていることを特徴とする請求項１乃至３の何れかに記載の眼鏡フレーム。
【請求項５】
前記鎧部が、内側に湾曲する湾曲部を備えていることを特徴とする請求項１乃至４の何れかに記載の眼鏡フレーム。
【発明の詳細な説明】
【技術分野】
【０００１】
本発明は眼鏡フレームに関し、特に、部品点数が少なく、各部品の構造が簡単であり、各部品及び全体の製作が簡単な眼鏡フレームに関する。
【背景技術】
【０００２】
眼鏡フレームには様々なタイプのものがある。例えば、特許文献１に記載された眼鏡フレーム１１０は、図６に示すように、一対の環状のリム１２０と、両リムの内縁部間を連結するブリッジ１３０と、両リム１２０の外縁部に設けられる鎧部１４０と、この鎧部１４０に蝶番１５０を介して回動自在に連結されるテンプル１６０とを備えている。
【０００３】
また、特許文献１に記載された眼鏡フレーム１１０は、ブリッジ１３０がリム１２０よりも分厚く形成され、両リム１２０を前後方向又は上下方向に屈曲する力、或いは互いに反対方向に捩じる力等に耐えうるようになっている。さらに、眼鏡フレーム１１０を顔面の所定の位置に保持するために、鎧部１４０が内方に湾曲したばね部材１４１を備え、そのばね力によってテンプル１６０が内側に付勢されるようになっている。
【０００４】
しかしながら、特許文献１に記載された眼鏡フレーム１１０は、各部品が夫々個別に製造されるために、製造及び組立てに手間がかかり、コストが高くなるという問題点がある。また、ブリッジ１３０のように、一部分を分厚くするようなことは、金属材料では非常に手間がかかることである。さらに、内方に湾曲したばね部材１４１を備える鎧部１４０の構造は、リム１２０の外縁部との取付け関係や、蝶番１５０との取付け関係から複雑で手間のかかるものとなっている。
【特許文献１】特開２００６−１７８８７号公報
【発明の開示】
【発明が解決しようとする課題】
【０００５】
本発明は上記の課題を解決したものであり、多くの部品を出来る限り一括して製造することが可能であり、製造及び組立てを単純にすることができる眼鏡フレームを提供することを目的とする。また、金属材料を使用しても、簡単に強度のあるブリッジとすることができる眼鏡フレームを提供することを目的とする。さらに、顔面の所定の位置に保持するために、テンプルが内側に付勢される眼鏡フレームを提供することを目的とする。
【課題を解決するための手段】
【０００６】
上記の課題を解決するために、本発明の請求項１に係る眼鏡フレームは、一対のリム部、前記両リム部の内縁部を連結するブリッジ部、前記両リム部の外縁部に形成される鎧部、及び前記鎧部に蝶番を介して取付けられるテンプルを備えた眼鏡フレームであって、前記リム部及び前記ブリッジ部が同一の板状金属材で一体に形成されている手段を採用している。また、本発明の請求項２に係る眼鏡フレームは、請求項１に記載の眼鏡フレームであって、前記ブリッジ部が、前記板状金属材からなる補強材を備えている手段を採用している。
【０００７】
また、本発明の請求項３に係る眼鏡フレームは、請求項２に記載の眼鏡フレームであって、前記補強材が、前記リム部及び前記ブリッジ部と共に、一枚の前記板状金属材から打抜き加工されて形成されたものである手段を採用している。また、本発明の請求項４に係る眼鏡フレームは、請求項１乃至３の何れかに記載の眼鏡フレームであって、前記鎧部が、前記ブリッジ部と同一の板状金属材で一体に形成されている手段を採用している。また、本発明の請求項５に係る眼鏡フレームは、請求項１乃至４の何れかに記載の眼鏡フレームであって、前記鎧部が、内側に湾曲する湾曲部を備えている手段を採用している。
【発明の効果】
【０００８】
本発明の眼鏡フレームは上記の手段を採用することにより、構造が極めて簡単であり、製造、組立てを容易にすることができるので、安価なコストに抑えることができる。また、両リム部を前後方向又は上下方向に屈曲する力、或いは互いに反対方向に捩じる力等に対して、耐えうるようになっている。さらに、テンプルが内側に付勢され、顔面の所定の位置に保持することができる。
【発明を実施するための最良の形態】
【０００９】
以下、図面に示す本発明の実施の形態について説明する。
図１〜図５には、本発明による眼鏡フレームの一実施の形態が示されていて、図１は眼鏡フレーム全体を示す斜視図、図２は眼鏡フレーム全体を示す平面図、図３は眼鏡フレームの正面図及び裏面図、図４は補強材の形成方法を示す説明図、図５は鎧部の斜視図である。
【００１０】
本発明の眼鏡フレーム１０は、一対のリム部２０、両リム部２０の内縁部を連結するブリッジ部３０、両リム部２０の外縁部に形成される鎧部４０、及び鎧部に蝶番５０を介して取付けられるテンプル６０を備えている。そして、本発明の眼鏡フレーム１０は、リム部２０及びブリッジ部３０が、板状の金属材で一体に形成されていることを特徴としている。また、鎧部４０も同様に、板状の金属材で一体に形成されていることが好ましい。
【００１１】
金属材は、特に限定されないが、見栄えが良くて人肌に優しい材料とすることが好ましく、また、後述する湾曲部４１のばね力によって、テンプル６０に付勢力を与えるために、適当な弾性を備えていることが好ましい。また、その厚みも特に限定されないが、０．５ｍｍ程度とすることが好ましい。
【００１２】
リム部２０及びブリッジ部３０は、板材から打抜き加工によって形成されることが好ましい。リム部２０、ブリッジ部３０及び鎧部４０は、夫々個別に打抜いた後に、溶接により一体に形成することもできる。しかし、リム部２０、ブリッジ部３０及び鎧部４０は、一枚の板材から一体に打抜くことが好ましい。これによって、各部品の製造を著しく簡略化することができる。
【００１３】
また、ブリッジ部３０は、リム部２０等と同様に、板状の金属材からなる補強材２２を備えていることが好ましい。そして、補強材２２は、リム部２０及びブリッジ部３０と共に、一枚の金属材から打抜き加工されて形成されたものであることが好ましい。
【００１４】
すなわち、図４に示すように、補強材２２は、ａ及びｂの２点でリム部２０に接続された形で打抜かれる。その後、ａ及びｂの２点で補強材２２を裏側に折り返し、適宜形状を整えることにより強固な補強材２２とすることができる。例えば、図に示すように、補強材２２の全体がリム部２０及びブリッジ部３０に密着した形状とすることができる。
【００１５】
リム部２０やブリッジ部３０等は、打抜き加工の後に、プレス等により曲げ加工を行うことが好ましい。これによって、ブリッジ部３０の曲りや鎧部４０の曲りを形成することができる。また、打抜き加工と同様に、これらの部品の製造を著しく簡略化することができる。
【００１６】
鎧部４０は、内側に湾曲する湾曲部４１を備えていることが好ましい。これによって、湾曲部４１にばね力が与えられ、テンプル６０が内側に付勢されることになる。湾曲部４１は、曲げ加工で形成することが可能であり、簡単に形成することができる。また、眼鏡フレーム１０全体を、意匠性の高いスマートなデザインとすることができる。
【００１７】
テンプル６０は、板状の金属材で形成されることが好ましい。そして、リム部２０等と同一厚みの同一金属材とすることも好ましいことである。また、蝶番５０で連結されるテンプル６０の端部断面と鎧部４０の端部断面は、互いに合致するように形成されていることが好ましい。これにより、鎧部４０とテンプル６０とが一体となって見えることになり、デザイン的にも優れた眼鏡フレーム１０とすることができる。
【００１８】
テンプル６０の端部断面と鎧部４０の端部断面が、互いに合致するように形成されていることは、製作の上からも非常に好ましい。テンプル６０の端部と鎧部４０の端部に、別途用意した蝶番５０を溶接等で取付ける簡単な作業で、組立てることができるからである。
【００１９】
なお、本発明の眼鏡フレーム１０は、通常の眼鏡フレームと同様に、リム部２０の内縁部にはノーズパッド２１を取付けることが好ましい。また、リム部２０には、レンズを保持するための保持部材２３を適宜設けることが好ましい。
【図面の簡単な説明】
【００２０】
【図１】本発明の眼鏡フレームの一例を示す概略全体斜視図である。
【図２】図１に示す眼鏡フレームの概略全体平面図である。
【図３】図１に示す眼鏡フレームの概略正面図及び概略裏面図である。
【図４】補強材の形成方法を示す正面図及び斜視図である。
【図５】鎧部の詳細を示す概略斜視図である。
【図６】従来の眼鏡フレームの一例を示す概略斜視図である。
【符号の説明】
【００２１】
１０、１１０    眼鏡フレーム
２０    リム部
２１    ノーズパッド
２２    補強材
２３    保持部材
３０    ブリッジ部
４０、１４０    鎧部
４１    湾曲部
５０、１５０    蝶番
６０、１６０    テンプル
１２０    リム
１３０    ブリッジ
１４１    ばね部材
【図１】
2009048091.tif 000003
【図２】
2009048091.tif 000004
【図３】
2009048091.tif 000005
【図４】
2009048091.tif 000006
【図５】
2009048091.tif 000007
【図６】
2009048091.tif 000008